(57)【要約】【課題】車両の制動時や減速時における運動エネルギーを回収し、その回収したエネルギーを効率良く動力源のエネルギーとして出力することができるとともに、装置のコストアップの抑制を可能とした機構を備える、車両のエネルギー回収出力装置を提供する。【解決手段】車両が減速する際の運動エネルギーを発条２０１の巻付けに用いて弾性エネルギーに変換することでエネルギーを保存し、車両の加速時には発条２０１の巻付けを解放することで、弾性エネルギーを運動エネルギーに変換して、通常の動力に対するアシストを行なう。【選択図】図３
2010202167.tif 000002
【特許請求の範囲】
【請求項１】
入力軸と、
前記入力軸に連結される発条を有する発条装置と、
前記発条装置に連結される遊星歯車機構と、
前記遊星歯車機構に連結される出力軸とを備え、
前記発条装置は、減速時の運動エネルギーにより前記発条を巻きつけて弾性エネルギーとして蓄積し、加速時には前記発条の巻きつけを開放し弾性エネルギーを運動エネルギーに変換して、前記遊星歯車機構を介し前記出力軸に動力を供給する、車両のエネルギー回収出力装置。
【発明の詳細な説明】
【技術分野】
【０００１】
この発明は、車両に用いられるエネルギー回収出力装置に関する。
【背景技術】
【０００２】
車両の制動時等の運動エネルギーを蓄積し、加速時に蓄積したエネルギーを放出するシステムを採用する一例として、ハイブリッド車両が挙げられる。ハイブリッド車両は、動力源として、ガソリンエンジンと電動機とを備え、車両の制動時や減速時における運動エネルギーを電気エネルギー変換しバッテリーに蓄電（回収）して、蓄電した電気エネルギーにより電動機を駆動させるという回生装置が採用されている。このような回生装置を開示する先行技術文献としては、下記の特許文献１から３が挙げられる。
【先行技術文献】
【特許文献】
【０００３】
【特許文献１】特開２００８−２６３７３９号公報
【特許文献２】特開２０００−３２４６０６号公報
【特許文献３】特開平１１−１５０９１１号公報
【発明の概要】
【発明が解決しようとする課題】
【０００４】
運動エネルギーを電気エネルギーに変換して蓄電するには必ず蓄電池が必要となるが、エネルギーの変換効率は蓄電池の性能に依存する。蓄電池によるエネルギー変換効率は低く、エネルギーロスの改善が望まれている。
【０００５】
また、上記した回生装置を車両に搭載した場合、蓄電池自身が高価であり、よりエネルギー変換効率の高い蓄電池を用いた場合、最新の技術の採用も必要となり、車両のコストアップが懸念される。
【０００６】
この発明の目的は、車両の制動時や減速時における運動エネルギーを回収し、その回収したエネルギーを効率良く動力源のエネルギーとして出力することができるとともに、装置のコストアップの抑制を可能とした機構を備える、車両のエネルギー回収出力装置を提供することにある。
【課題を解決するための手段】
【０００７】
この発明に基づいた車両のエネルギー回収出力装置においては、入力軸と、上記入力軸に連結される発条を有する発条装置と、上記発条装置に連結される遊星歯車機構と、上記遊星歯車機構に連結される出力軸とを備え、上記発条装置は、減速時の運動エネルギーにより上記発条を巻きつけて弾性エネルギーとして蓄積し、加速時には上記発条の巻きつけを開放し弾性エネルギーを運動エネルギーに変換して、上記遊星歯車機構を介し上記出力軸に動力を供給する。
【発明の効果】
【０００８】
この発明に基づいた車両のエネルギー回収出力装置によれば、車両が減速する際の運動エネルギーを発条（ぜんまい）の弾性エネルギーに変換することでエネルギーを保存し、車両の加速時には弾性エネルギーを運動エネルギーに変換することで、通常の動力に対するアシストを行なう。これにより、車両の制動時や減速時における運動エネルギーを回収し、その回収したエネルギーを効率良く動力源のエネルギーとして出力することが可能となるとともに、発条を用いることから、装置のコストアップの抑制を可能となる。
【図面の簡単な説明】
【０００９】
【図１】実施の形態における車両のエネルギー回収出力装置の外観構成を示す図である。
【図２】実施の形態における発条装置の構成を示す断面図である。
【図３】実施の形態における発条装置を用いた車両のエネルギー回収出力装置の構成を示す図である。
【図４】実施の形態における車両のエネルギー回収出力装置の各クラッチ・ブレーキの用途と前進時の動きを示す図である。
【図５】実施の形態における車両のエネルギー回収出力装置の前進時通常走行時の共線図である。
【図６】実施の形態における車両のエネルギー回収出力装置の発条によるエネルギー出力時（前進）の共線図である。
【図７】実施の形態における車両のエネルギー回収出力装置の発条によるエネルギー回収時（前進）の共線図である。
【図８】実施の形態における車両のエネルギー回収出力装置の後進時通常走行時の共線図である。
【図９】実施の形態における車両のエネルギー回収出力装置の発条によるエネルギー出力時（後進）の共線図である。
【図１０】実施の形態における車両のエネルギー回収出力装置の発条によるエネルギー回収時（後進）の共線図である。
【図１１】実施の形態における車両のエネルギー回収出力装置の前進時の共線図である。
【図１２】実施の形態における車両のエネルギー回収出力装置の減速前進時の第１共線図である。
【図１３】実施の形態における車両のエネルギー回収出力装置の減速前進時の第２共線図である。
【図１４】実施の形態における車両のエネルギー回収出力装置の停止時の共線図である。
【図１５】実施の形態における車両のエネルギー回収出力装置の発条の巻き過ぎを検知したときの共線図である。
【図１６】実施の形態における車両のエネルギー回収出力装置の発条の巻き限度を超えたフェール時の共線図である。
【図１７】実施の形態における車両のエネルギー回収出力装置の前進加速時の第１共線図である。
【図１８】実施の形態における車両のエネルギー回収出力装置の前進加速時の第２共線図である。
【図１９】実施の形態における車両のエネルギー回収出力装置の前進加速時の第３共線図である。
【図２０】実施の形態における車両のエネルギー回収出力装置の前進加速時の第４共線図である。
【図２１】他の実施の形態における発条装置を用いた車両のエネルギー回収出力装置の構成を示す図である。
【発明を実施するための形態】
【００１０】
本発明に基づいた実施の形態に係る車両のエネルギー回収出力装置について、以下、図を参照しながら説明する。なお、以下に説明する実施の形態において、個数、量などに言及する場合、特に記載がある場合を除き、本発明の範囲は必ずしもその個数、量などに限定されない。また、同一の部品、相当部品に対しては、同一の参照番号を付し、重複する説明は繰り返さない場合がある。
【００１１】
図１を参照して、本実施の形態に係る車両のエネルギー回収出力装置１について説明する。このエネルギー回収出力装置１は、発条（ぜんまい）を用いた車両のエネルギー回収出力装置１に関するものであり、減速時の運動エネルギーを発条の弾性エネルギーに変換するものである。
【００１２】
エネルギー回収出力装置１は、トランスミッション１００のアウトプット軸１０１に連結される発条装置２００と、この発条装置２００に連結される遊星歯車機構３００とを有している。遊星歯車機構３００には、車輪側のドライブシャフト４００が連結されている。なお、発条装置２００からみてアウトプット軸１０１は入力軸となり、ドライブシャフト４００は出力軸となる。
【００１３】
図２を参照して、発条装置２００は、渦状に巻回された発条２１０を有し、発条２１０の外周端は、アウトプット軸１０１とともに回転するケース２０２に発条固定ピン２１２により固定されている。発条２１０の内周端は、回転軸２０３に対して過負荷トルクスリップ機構２１１を介して固定されている。過負荷トルクスリップ機構２１１を設けることで、一定のトルクが発条装置２００に入力された場合には、発条２０１の破損を防止することができる。
【００１４】
回転軸２０３は、シャフト２２０に固定されている。また、回転軸２０３とケース２０２との間には、クラッチＺ１が設けられている。このクラッチＺ１は、回収・出力時の発条２０１の回転を固定するためのものであり、クラッチＺ１を開放して回収・出力の回転差があるときに発条２０１を巻くことを可能としている。
【００１５】
図３を参照して、遊星歯車機構３００は、サンギヤＳ、リングギヤＲ、および、プラネタリギヤＰを有している。サンギヤＳは、発条装置２００のシャフト２２０に連結されている。プラネタリギヤＰは、フォワードクラッチＣ１を介在させて発条装置２００のシャフト２２０に連結されている。リングギヤＲには反転用ブレーキＢ１が設けられている。プラネタリギヤＰのキャリヤＣには、車輪側のシャフト４０１が連結されている。車輪側には、電子制御ブレーキシステムが採用され、ブレーキディスク４１０とブレーキＢとが設けられている。
【００１６】
ここで、発条を用いた場合、入力エネルギーの方向に対して逆方向のエネルギーを発生する。車両に用いる場合には、回転方向を変換する必要があり、遊星歯車機構３００を用いることで、出力時の回転方向の制御を可能としている。
【００１７】
発条装置２００のクラッチＺ１、フォワードクラッチＣ１、および、反転用ブレーキＢ１はいずれも、乾式タイプ、湿式タイプのいずれでもかまわない。また、発条２０１や、システム自身の故障時よりも退避処理（リンプホーム処理）が可能なように、クラッチＺ１と発条装置２００との間のフォワードクラッチＣ１は、変速機用のクラッチと同じ通常時動力伝達状態（Normally Connected)とし、反転用ブレーキＢ１のみ通常時動力非伝達状態（Normally Unconnected)としておくことが好ましい。
【００１８】
図２１に示すように、発条装置２００は、トランスミッション１００内に組み込むことで、トランスミッション内のクラッチ・ブレーキと同じ油圧回路を用いて発条装置２００の制御を行なうことが可能となる。
【００１９】
（エネルギー回収出力装置１によるエネルギー回収出力制御）
上記構成からなるエネルギー回収出力装置１においては、電子制御ブレーキシステムと連動させ、遊星歯車機構３００を用いて、フォワードクラッチＣ１と反転用ブレーキＢ１を電子的に制御することで、適切なタイミングで発条２０１を巻き、減速時の運動エネルギーを発条２０１の弾性エネルギーに変換する。
【００２０】
次に、図４に、エネルギー回収出力装置１の各クラッチ・ブレーキの用途と前進時の動きを示す図である。反転用ブレーキＢ１とフォワードクラッチＣ１とは、ＯＮ／ＯＦＦが対になっており、制御しないときは、反転用ブレーキＢ１がＯＦＦ状態、フォワードクラッチＣ１がＯＮ状態である（クラッチＺ１は、ＯＮ状態）。
【００２１】
次に、図５から図２０を参照して、各種走行モードにおける共線図を示す。図中において、「Ｔ／Ｍ」はトランスミッション１００、「Ｚｅｎ」は発条装置２００、「Ｃ１」はフォワードクラッチＣ１、「Ｏ」はアウトプット軸１０１、「Ｓ」はサンギヤＳ、「Ｒ」はリングギヤＲ、「Ｃ」はキャリヤＣ、「Ｂ１」は反転用ブレーキＢ１、「Ｂ」ブレーキＢ、「Ｚ１」はクラッチＺ１を示す。
【００２２】
図５は、前進時の通常走行状態を示している。トランスミッション１００からの出力が全て、タイヤに伝達されている。
【００２３】
図６は、前進時の発条のエネルギー出力状態を示している。発条装置２００の発条２０１に蓄えられた弾性エネルギーにより動力のアシストが行なわれている。
【００２４】
図７は、前進時の発条でエネルギーが回収されている状態を示している。発条装置２００の発条２０１が巻き取られ、減速時の運動エネルギーが発条２０１の弾性エネルギーとして回収されている。
【００２５】
図８は、後進時の通常走行状態を示している。トランスミッション１００からの出力が全て、タイヤに伝達されている。
【００２６】
図９は、後進時の発条のエネルギー出力状態を示している。発条装置２００の発条２０１に蓄えられた弾性エネルギーにより動力のアシストが行なわれている。
【００２７】
図１０は、後進時の発条でエネルギーが回収されている状態を示している。発条装置２００の発条２０１が巻き取られ、減速時の運動エネルギーが発条２０１の弾性エネルギーとして回収されている。
【００２８】
次に、図１１から図１４を参照して、減速時（前進走行から停止）の一連の流れついて説明する。図１１は、通常走行の前進時の状態を示している。トランスミッション１００からの出力が全て、タイヤに伝達されている。
【００２９】
次に、図１２および図１３を参照して、ブレーキＢがＯＮ状態、アクセルＯＦＦ状態、フォワードクラッチＣ１がＯＮ状態、反転用ブレーキＢ１がＯＮ状態、クラッチＺ１がＯＦＦ状態である。これにより、発条装置２００の発条２０１が巻き取られ、減速時の運動エネルギーが発条２０１の弾性エネルギーとして回収される。図１４は車両が停止した状態を示している。
【００３０】
次に、図１５および図１６を参照して、減速時の発条２０１の巻きすぎに対するフェール対応について説明する。図１５を参照して、発条２０１の巻きすぎを検出した場合には、クラッチＺ１をＯＮ状態にすることでこれ以上発条２０１を巻かないようにし、反転用ブレーキＢ１を緩めてブレーキＢのみで減速を行なう。
【００３１】
また、図１６を参照して、反転用ブレーキＢ１を緩めることができない場合や、間に合わない場合等、発条２０１の巻き限度を超えた場合には、ある一定の巻きトルクが過負荷トルクスリップ機構２１１に加わることで、発条２０１は機械的にスリップし、発条２０１の破損を防止する。
【００３２】
次に、図１７から図２０を参照して、加速時（停止から前進走行）に、発条装置２００の発条２０１に蓄えられた弾性エネルギーにより動力のアシストが行なわれた場合の一連の流れついて説明する。
【００３３】
図１７を参照して、ブレーキＢがＯＦＦ状態、アクセルＯＦＦ状態、フォワードクラッチＣ１がＯＮ状態、反転用ブレーキＢ１がＯＦＦ状態、クラッチＺ１がＯＦＦ状態である。これにより、発条装置２００の発条２０１が巻き解かれ、発条２０１に蓄えられた弾性エネルギーにより動力のアシストが開始する。
【００３４】
図１８から図１９を参照して、アクセルＯＮ状態にして、トランスミッション１００からの動力を取り入れ、発条２０１からの動力のアシストの割合を低下させ、トランスミッション１００からの動力の割合を増加させる。図２０を参照して、クラッチＺ１をＯＮ状態にして、発条２０１からの動力のアシストを停止し、前進加速時の運転を行なう。
【００３５】
以上、本実施の形態おける車両のエネルギー回収出力装置によれば、車両が減速する際の運動エネルギーを発条２０１の弾性エネルギーに変換することでエネルギーを保存し、車両の加速時には弾性エネルギーを運動エネルギーに変換することで、通常の動力に対するアシストを行なうことが可能となる。
【００３６】
これにより、車両の制動時や減速時における運動エネルギーを回収し、その回収したエネルギーを効率良く動力源のエネルギーとして出力することが可能となるとともに、発条を用いることから、装置のコストアップの抑制を可能となる。
【００３７】
また、蓄電池を用いずに減速時の運動エネルギーを加速時に利用できることから、コスト上昇を招くこととがない。また、蓄電池を用いないことから車両の安全性の向上を図ることが可能となる。また、発条に回収した弾性エネルギーを、効率良く運動エネルギーに変換できることから、エネルギーの変換効率に優れる。
【００３８】
以上、本発明の実施の形態について説明したが、今回開示された実施の形態は全ての点で例示であって制限的なものではないと考えられるべきである。本発明の範囲は特許請求の範囲によって示され、特許請求の範囲と均等の意味および範囲内での全ての変更が含まれることが意図される。
【符号の説明】
【００３９】
１  エネルギー回収出力装置、１００  トランスミッション、１０１  アウトプット軸、２００  発条装置、２０２  ケース、２０３  回転軸、２１０  発条（ぜんまい）、２１１  過負荷トルクスリップ機構、２１２  発条固定ピン、２２０  シャフト、３００  遊星歯車機構、４００  ドライブシャフト、４０１  シャフト、４１０  ブレーキディスク、Ｂ  ブレーキ、Ｂ１  反転用ブレーキ、Ｃ  キャリヤ、Ｃ１  フォワードクラッチ、Ｐ  プラネタリギヤ、Ｒ  リングギヤ、Ｓ  サンギヤ、Ｚ１  クラッチ。
【図１】
2010202167.tif 000003
【図２】
2010202167.tif 000004
【図３】
2010202167.tif 000005
【図４】
2010202167.tif 000006
【図５】
2010202167.tif 000007
【図６】
2010202167.tif 000008
【図７】
2010202167.tif 000009
【図８】
2010202167.tif 000010
【図９】
2010202167.tif 000011
【図１０】
2010202167.tif 000012
【図１１】
2010202167.tif 000013
【図１２】
2010202167.tif 000014
【図１３】
2010202167.tif 000015
【図１４】
2010202167.tif 000016
【図１５】
2010202167.tif 000017
【図１６】
2010202167.tif 000018
【図１７】
2010202167.tif 000019
【図１８】
2010202167.tif 000020
【図１９】
2010202167.tif 000021
【図２０】
2010202167.tif 000022
【図２１】
2010202167.tif 000023